(57)【要約】      （修正有）【課題】むら無く高照度で均一に書籍の文字印刷面を照明するとともに、導光板を完全なる透明状態として、極めて高い視認性を有するとともに、周囲への光漏れのない眩惑と周囲への迷惑を防止した耐久性の高い平面照明器具を提供する。【解決手段】透明導光板２の前端面に光源を備えるとともに、対向する後端面に反射板４と反射材５を備え、該透明導光板の後端面と左右の側端面に断面がコ字型のブラケット６を嵌装するとともに、該ブラケットを嵌装した透明導光板のコーナー部分に、断面がコ字型のスペーサー部材７，８を嵌装して備えた平面照明器具であって、該透明導光板に嵌装したスペーサー部材の厚みによって、該平面照明器具を被照明物に載置したときに該透明導光板の裏面と被照明物との間に間隙を備えた。【選択図】図２
0003154280.tif 000002
【実用新案登録請求の範囲】
【請求項１】
透明導光板の一端部に備えた光源の光を透明導光板内で拡散させることで、透明導光板から光を放射し、該透明導光板を通して読書をする照明器具において、前端面、後端面、左右の側端面とからなる方形の透明導光板の前端面に光源を備えるとともに、対向する後端面に反射板と反射材を備え、該透明導光板の後端面と左右の側端面に、断面がコ字型のブラケットを嵌装するとともに、該ブラケットを嵌装した透明導光板のコーナー部分に、断面がコ字型のスペーサー部材を嵌装して備えた平面照明器具であって、該透明導光板に嵌装したスペーサー部材の厚みによって、該平面照明器具を被照明物に載置したときに該透明導光板の裏面と被照明物との間に間隙を備えるように構成したことを特徴とする平面照明器具。
【請求項２】
前記、透明導光板の裏面に光拡散板を備えるとともに、該透明導光板の表面には、光透過性の表示物を備えたことを特徴とする請求項１に記載の平面照明器具。
【請求項３】
前記、透明導光板の裏面に表示物を備えたことを特徴とする請求項１に記載の平面照明器具。
【考案の詳細な説明】
【技術分野】
【０００１】  本考案は、暗所において読書をする際の平面照明器具に関し、特に導光板に効率よく光源を反射させることで、読書するに充分な光量を得ることができる平面照明器具に関する。
【背景技術】
【０００２】  従来から、夜間に、寝室のベッド、航空機や自動車の座席などの暗所で読書をする際は、寝室であれば枕元のスタンド、自動車や航空機であれば頭上に備えられたスポットライトなどの照明器具を使用する。しかしながらこれらの照明器具は周囲に光が拡散しないように配慮されているものの、光源からの光漏れや本に反射した光によって必ずしも充分な配慮がなされていると言えるものではない。そこで、透明のガラスやアクリル樹脂などの導光板を用いて、その一端部に備えた電球などの光源の光を導光板内で拡散させることで、導光板を通して読書をする照明器具が提案されている。このような照明器具を用いれば周囲への光の拡散は顕著に少なくなり、夜間の寝室、航空機や自動車での読書には極めて好適なものである。【０００３】  例えば、実開平７−１９９０７号公報（特許文献１）に開示された「照明器」は、本や新聞紙等の対象物に光源から光を当てて、夜間の車室内等の暗い場所においてこれを照明するための可搬式照明器で、くさび形の透明板状体の一部より線状光源の光を入射し、むらのない均一な面発光を得ることで透明板状体の下に明るく照らされた地図等を見ることができるものである。この考案の大きな特徴は、透明板状体をくさび形に形成したことにある。当該公報段落番号００１０及び図１に示されるように、透明板状体１５内に模式的に示す如くその中をＶ字の先端方向に向う無数の光路Ｌを有する光が、平面１２と平面１３との間で乱反射を繰り返しながらその先端に収れんせしめられ、乱反射を繰り返すうちに、投光平面１２より一部漏れ出た光が上記の面発光を生成することにある。なお、特開昭４９−３４９１号公報（特許文献２）に開示された「接面照明具」も同様な技術であり、その内容は前記と重複するので省略する。【０００４】  また、特開平６−２０１９１９号公報（特許文献３）に開示された「平面形照明装置」は、透明な平板状導光体の端面に付設された棒状光源からの光線を導いて、導光体片面に放射するようにした平面型照明装置に関するもので、その特徴とするところは、当該公報段落番号０００９に示されるように、平板状導光体（１）の片面（上側の面）に光線を下面方向に散乱させるように、多数、且つ同一形状の反射膜付き散乱面（５）を一様に分散配置したことにある。これによって、平板状導光体（１）の下面方向にのみ高照度の光線をむら無く放出するので、照明装置下面に置いた印刷物を明るくむら無く見ることができ、寝室用読書灯に適用した場合は周囲に光が漏れにくく、看板灯にも適用できるものである。
【先行技術文献】
【特許文献】
【０００５】
【特許文献１】  実開平７−１９９０７号公報
【特許文献２】  特開昭４９−３４９１号公報
【特許文献３】  特開平６−２０１９１９号公報
【考案の概要】
【考案が解決しようとする課題】
【０００６】  ところで、特許文献１の照明器、及び特許文献２の接面照明具にあっては、むらのない均一な発光を得るために、透明板状体をくさび形に形成している。透明板状体であるアクリル板をくさび形に形成することは、成形金型を用いることで技術的に何ら難しいことなく可能である。しかしながら、このような照明器具に使用する透明板状体はその目的から、極めて高い品質が要求される。具体的には、表面の高い平滑性と鏡面度が求められ、すなわち金型の高い精度と、厳密な成形条件の設定が必要になる。安易な成形金型の製作は表面の平滑性と鏡面度が低く、安易な成形条件のもとでの成形は、反りやウェルドが容易に発生し、透明板状体として要求される品質を保つことができない。もちろん成形金型及び成形に要する費用を度外視すれば何ら問題なく高品質な、くさび形透明板状体を製造することが可能であるが、種々の製造販売に要するコスト条件下においては、妥協せざるを得ない部分もあり極めて難しいものがあった。また、アクリル板のくさび形透明板状体の周囲の端面（エッジ）は、その性質上光を発する。そのため、夜間の寝室、航空機や自動車での読書には周囲に光が漏れ迷惑となるといった課題もあった。【０００７】  また、特許文献３の平面形照明装置にあっては、くさび形ではなく平板状導光体を用いてその上側の面に光線を下面方向に散乱させるための多数且つ同一形状の反射膜付き散乱面を一様に分散配置したことで、照明装置下面に置いた印刷物を明るくむら無く照らすことができる。当該公報段落番号００１０には、寝室用読書灯として利用する場合の平板状導光体上側面に施す反射膜付き散乱面の大きさは線状の時はその幅、円形の時はその直径を０．０５ｍｍにすることが散乱面を視認できない好適なサイズであるとされているが、０．０５ｍｍの円形散乱面を施した場合は、いわば平板状導光体上側面に網点印刷が施されることとなり、その密度は照度と相反するものであり、照度を高めるならば同時に密度を高める必要があるが、その反面平板状導光体の透明性を著しく阻害し、視認性を損ねることになる。他方、視認性を高めるならば密度を低くする必要があるが、その反面照度が著しく低下し、結果的に視認性を損ねることになってしまう。何れにしても、平板状導光体上側面に散乱面が施されていることは、書籍の文字を読む際の著しい障害、すなわち視認性の低下を招くという課題があった。また、前記した課題同様にアクリル板の端面（エッジ）は、その性質上光を発するため、周囲に光が漏れ迷惑となるといった課題もあった。【０００８】  そこで本考案は、高品質な導光板を製造するための成型金型を必要とすることなく、極めて高い透明性と導光性、表面の平滑性、鏡面度を兼ね備えたアクリル板を導光板として使用して、むら無く高照度で均一に書籍の文字印刷面を照明するとともに、導光板を完全なる透明状態として、極めて高い視認性を有するとともに、周囲への光漏れのない平面照明器具を提供することを目的とするものである。
【課題を解決するための手段】
【０００９】  透明導光板の一端部に備えた光源の光を透明導光板内で拡散させることで、透明導光板から光を放射し、該透明導光板を通して読書をする照明器具において、前端面、後端面、左右の側端面とからなる方形の透明導光板の前端面に光源を備えるとともに、対向する後端面に反射板と反射材を備え、該透明導光板の後端面と左右の側端面に、断面がコ字型のブラケットを嵌装するとともに、該ブラケットを嵌装した透明導光板のコーナー部分に、断面がコ字型のスペーサー部材を嵌装して備えた平面照明器具であって、該透明導光板に嵌装したスペーサー部材の厚みによって、該平面照明器具を被照明物に載置したときに該透明導光板の裏面と被照明物との間に間隙を備えるように構成したことで解決される。【００１０】  また、前記、透明導光板の裏面に光拡散板を備えるとともに、該透明導光板の表面には、光透過性の表示物を備えたことで解決される。【００１１】  さらに、前記、透明導光板の裏面に表示物を備えたことで解決される。
【考案の効果】
【００１２】  透明導光板の一端部に備えた光源の光を透明導光板内で拡散させることで、透明導光板から光を放射し、該透明導光板を通して読書をする照明器具において、前端面、後端面、左右の側端面とからなる方形の透明導光板の前端面に光源を備えるとともに、対向する後端面に反射板と反射材を備え、該透明導光板の後端面と左右の側端面に、断面がコ字型のブラケットを嵌装するとともに、該ブラケットを嵌装した透明導光板のコーナー部分に、断面がコ字型のスペーサー部材を嵌装して備えた平面照明器具であって、該透明導光板に嵌装したスペーサー部材の厚みによって、該平面照明器具を被照明物に載置したときに該透明導光板の裏面と被照明物との間に間隙を備えるように構成した。これにより、むら無く高照度で均一に被照明物である書籍の文字印刷面を照明することを可能とした。また、光源の光や、透明導光板の端面に反射された光（エッジ光）による眩惑及び周囲への迷惑を確実に防止する。さらに、透明導光板の裏面と被照明物との間隙によって、透明導光板裏面と書籍の文字印刷面とが接触しづらくなることで透明導光板への細かい擦り傷の防止と、透明導光板の周囲に備えられたブラケットとスペーサー部材によって、透明導光板の割れ、欠けなど傷付きを確実に防止して、長期間にわたって高い視認性を維持することを可能とした。【００１３】  また、前記、透明導光板の裏面に光拡散板を備えるとともに、該透明導光板の表面には、光透過性の表示物を備えた。これにより、透明導光板から放射された光は、背面に備えられた光拡散板によって透明導光板の裏面全面を可視可能に照明され面光源として構成され、透明導光板の表面に備えた光透過性の表示物を該バックライトによって、明るく表示することを可能としたので、視認性に優れたディスプレイの平面照明器具として利用することを実現した。【００１４】  さらに、前記、透明導光板の裏面に被照明物を備えた。これにより、透明導光板の裏面側に通常の印刷物などの表示物を備えれば、前記と同様な薄暗い環境の場所において視認性に優れたディスプレイの平面照明器具として利用することを可能とした。
【図面の簡単な説明】
【００１５】
【図１】本考案の平面照明器具の全体斜視図である。
【図２】本考案の平面照明器具の分解斜視図である。
【図３】本考案の平面照明器具の正面図である。
【図４】本考案の平面照明器具の右側面図である。
【図５】図３におけるＺ−Ｚ線断面図である。
【図６】図４におけるＹ−Ｙ線断面図である。
【図７】図５におけるＡ部拡大図である。
【図８】図５におけるＢ部拡大図である。
【図９】使用状態を示す図である。
【図１０】図９におけるＸ−Ｘ線断面図である。
【図１１】本考案の第２の実施例の使用状態を示す図である。
【図１２】本考案の第３の実施例の使用状態を示す図である。
【考案を実施するための形態】
【実施例１】
【００１６】  本考案の読書灯の第１の実施例について、図面を参照して詳細に説明する。図１は本考案の読書灯の全体斜視図、図２は分解斜視図、図３は正面図、図４は右側面図、図５は図３のＺ−Ｚ線断面図、図６は図４のＹ−Ｙ線断面図、図７は図５のＡ部拡大図、図８は図５のＢ部拡大図、図９は使用状態を示す図、図１０は図９のＸ−Ｘ線断面図である。【００１７】  平面照明器具本体（１）は、方形の透明導光板（２）、光源（３）、反射板（４）、反射材（５）、ブラケット（６）、スペーサー部材（７）及び（８）から構成されている。透明導光板（２）は、全光透過率がガラスの９０％を上回る９３％で、光学特性、機械的特性に優れたアクリル板を用い、概ねＢ５版からＡ５版程度の方形で、５ｍｍ前後の厚みを有するとともに、図２にしめされるように、表面（２ａ）、裏面（２ｂ）、４辺の端面、すなわち前端面（２ｃ）、後端面（２ｄ）、左右の側端面（２ｅ）とから構成してなる。４辺の端面のうち、前端面（２ｃ）には光源（３）、対向する後端面（２ｄ）には、反射板（４）とその後ろに反射材（５）を備えて構成した。【００１８】  光源（３）は、図８のＢ部拡大図に示されるように、前端面（２ｃ）に相応する幅で表面実装型のＬＥＤを横一列に基板に配置したＬＥＤユニットで、透明導光板（２）の内部及びは対向する後端面（２ｄ）に向けて光を照射する。
なお、光源（３）の電源については図示しないが、光源（３）の背部に電池収納スペースが備えられるようにスペーサー部材（８）を拡張したり、スペーサー部材（８）に電源ジャックを備えて、ＡＣ／ＤＣアダプターのプラグを差し込めるように構成したり、それらに充電式電池を組み合わせたりして適宜適用すればよい。【００１９】  図７のＡ部拡大図に示されるように、後端面（２ｄ）に備えられた反射板（４）は、透明導光板（２）と同様に、透明アクリル材などの光学特性、機械的特性に優れた材質からなり、ピラミッド状の多角錐を多数連設するとともにその表面を鏡面としたプリズム反射面を後端面（２ｄ）と接するように備えてなる。さらに、反射板（４）のプリズム反射面の裏面には反射材（５）を後端面（２ｄ）に向けて重ねて備えた。反射材（５）は、ガラスビーズ式の反射材で、反射板（４）のプリズム反射面を透過した光源（３）の光が反射材（５）によって再帰性反射され、再び透明導光板（２）に入射され、さらなる照度向上に寄与するものである。【００２０】  ブラケット（６）は、遮光性を有する０．５ｍｍ厚程度のアルミ薄板で、断面をコの字型で形成される。このように構成されたブラケット（６）は、透明導光板（２）の後端面（２ｄ）、左右の側端面（２ｅ）に該透明導光板（２）の周囲を囲むように嵌装される。【００２１】  スペーサー部材（７）及び（８）は、ＡＢＳ樹脂などの樹脂素材からなり、断面をコの字型で形成され、断面は１ｍｍ乃至３ｍｍ程度の厚みを有して構成される。このように構成されたスペーサー部材（７）は、ブラケット（６）が嵌装された透明導光板（２）の後端面（２ｄ）と左右の側端面（２ｅ）のコーナー部分にそれぞれ嵌装されるとともに、スペーサー部材（８）は、スペーサー部材（７）を連結して光源（３）も合わせて覆うようにしたもので、前端面（２ｃ）と左右の側端面（２ｅ）とのコーナー部分を一体に嵌装される。また、スペーサー部材（７）及び（８）が嵌装された透明導光板（２）の裏面（２ｂ）には、図４、図７、図１０の矢印部分（被照明物との間隙）に示されるように、スペーサー部材（７）及び（８）の断面の１ｍｍ乃至３ｍｍ程度の厚みによって、書籍など被照明物に載置したときに、透明導光板（２）の裏面（２ｂ）との間に間隙を構成し、視認性向上などに寄与をする。【００２２】  以上のように構成された平面照明器具本体（１）は、透明導光板（２）の前端面（２ｃ）に備えられた光源（３）から照射された光は、透明導光板（２）の内部を透過して、後端面（２ｄ）の反射板（４）のプリズム反射面と反射材（５）とで、透明導光板（２）内部に向けて多方向に乱反射及び再帰性反射を行う。また、透明導光板（２）内部、すなわち表面（２ａ）、裏面（２ｂ）、前端面（２ｃ）、後端面（２ｄ）、左右の側端面（２ｅ）との間で乱反射が繰り返されることで、透明導光板（２）の表面（２ａ）及び裏面（２ｂ）から外方に向かって光が放射される。【００２３】  このとき、光源（３）の光や、前端面（２ｃ）、後端面（２ｄ）、左右の側端面（２ｅ）に反射された光（エッジ光）は、ブラケット（６）とスペーサー部材（７）及び（８）によって、透明導光板（２）の周囲を覆い囲うように嵌装して��えられているので、直接目に入ることを遮ることができ、眩惑及び周囲への迷惑を確実に防止する。また、ブラケット（６）とスペーサー部材（７）及び（８）は、透明導光板（２）の周囲を覆い囲うように嵌装して備えられているので、透明導光板（２）自体の保護の役目も果たす。【００２４】  図９の使用状態を示す図は、被照明物の一つである書籍の上に平面照明器具本体（１）を、載置した状態を示すものである。透明導光板（２）をとおして書籍の文字印刷面を視認する。上記のように各部を構成したことにより、むら無く均一に書籍の文字印刷面を高照度で照明するとともに、透明導光板（２）を完全なる透明状態として、極めて高い文字印刷面の視認性を確保するとともに、周囲への光漏れのない平面照明器具を提供することを実現した。また、前記したように透明導光板（２）に備えられたスペーサー部材（７）及び（８）の断面の１ｍｍ乃至３ｍｍ程度の厚みによって、書籍など被照明物に載置したときに、透明導光板（２）の裏面（２ｂ）との間に間隙を構成する。この間隙は、被照明物への照度を向上させるための重要な要素であり、透明導光板（２）の裏面（２ｂ）と書籍の文字印刷面とを直接接触させて視認するよりも、大幅な照度向上が認められ本考案の読書灯としての視認性向上に大きな役割を果たしている。また、この間隙によって、透明導光板（２）の裏面（２ｂ）と書籍の文字印刷面とが接触することによる摩擦が無くなるので、経年使用による透明導光板（２）への細かい擦り傷による視認性低下を確実に抑止することを可能としたものである。【００２５】  本実施例において、光源（３）のＬＥＤユニットは、厚みを薄くすることと、高照度を得るために表面実装型ＬＥＤ（ＳＭＤ  ＬＥＤ）を用いた。これにより長寿命（球切れなし）、低消費電流（電池であれば長持ち）を実現した。なお、光源はＬＥＤに限定するものではなく、電球はもちろんのこと、エレクトロルミネッセンス板、冷陰極管などを用いてもよいことはいうまでもない。また、アルミ材からなるブラケット（６）の裏面側をアルミ素地をそのまま生かすことにより、光源（３）の光を反射して照度向上に寄与することも可能である。さらに、スペーサー部材（７）は透明導光板（２）のコーナー部分だけを覆うようにしたが、連続させて（８）のように構成してもよく、可撓性を有するエラストマーなどの素材で周囲を一体に囲うように形成してもよいことはいうまでもない。
【実施例２】
【００２６】  図１１は、本考案の第２の実施例を示す図である。第２の実施例においては、前記した第１の実施例の平面照明器具の構成に加えて、該透明導光板（２）の裏面（２ｂ）に光拡散板（９）を備えるとともに、該透明導光板（２）の表面（２ａ）に、光透過性の表示物（１０）を備えたことを特徴とした。光拡散板（９）はシート状の樹脂板またはフィルムであって、該光拡散板（９）の表面一面に光をむら無く拡散する構成としたものを適用した。これにより、透明導光板（２）から放射された光は、その裏面（２ｂ）に備えられた光拡散板（９）によって透明導光板の裏面全面を可視可能に照明され面光源として構成するので、透明導光板（２）の表面（２ａ）に備えた光透過性の表示物（１０）を該面光源によって、明るく表示することを可能としたので、視認性に優れたディスプレイの平面照明器具として利用することを実現した。光透過性の表示物（１０）は、例えばポートレートや風景写真などを、半透明フィルムに光透過性インクを用いて印刷したものを用いれば、リバーサルフィルムをライトボックスに乗せて見たかの如く鮮やかな写真を鑑賞することができ、写真立てとして使用することも可能である。また、注意を喚起する内容の文字（例えば「車間注意」など）を光透過可能に印刷して用いれば自動車用のメッセージ表示具として使用することも可能であり、広範囲な用途で使用することが可能である。なお、本実施例の図面において、光拡散板（９）と表示物（１０）は透明導光板（２）に貼り付けたように示したが、特にこれに限定するものではなく、溝などを備えて抜き差し可能な構成としてもよいことは言うまでもない。
【実施例３】
【００２７】  図１２は、本考案の第３の実施例を示す図である。第３の実施例においては、前記第１の実施例の平面照明器具の構成に加えて、透明導光板（２）の裏面（２ｂ）に表示物（１０）を備えたことを特徴とした。これにより、透明導光板（２）の裏面（２ｂ）側に、通常の印刷物などの表示物（１０）を備えれば、透明導光板（２）から放射された光は、表示物（１０）の全面を可視可能にむら無く明るく照明して表示することを可能としたので、視認性に優れたディスプレイとして利用することを実現した。表示物（１０）は、前記第２の実施例と同様に、ポートレートや風景写真を用いれば、写真立てとして使用することが可能であり、自動車用のメッセージ表示具として使用することも可能である。また、個人住宅や会社事務所の表札として応用することも可能で広範囲な用途を提供することを可能とした。なお、本実施例の図面において、表示物（１０）は透明導光板（２）の裏面（２ｂ）に貼り付けたように示したが、特にこれに限定するものではなく、溝などを備えて抜き差し可能な構成としてもよいことは言うまでもない。
【符号の説明】
【００２８】１          平面照明器具本体
２          透明導光板
２ａ        表面
２ｂ        裏面
２ｃ        前端面
２ｄ        後端面
２ｅ        側端面
３          光源
４          反射板
５          反射材
６          ブラケット
７          スペーサー部材
８          スペーサー部材
９          光拡散板
１０        表示物
【図１】
0003154280.tif 000003
【図２】
0003154280.tif 000004
【図３】
0003154280.tif 000005
【図４】
0003154280.tif 000006
【図５】
0003154280.tif 000007
【図６】
0003154280.tif 000008
【図７】
0003154280.tif 000009
【図８】
0003154280.tif 000010
【図９】
0003154280.tif 000011
【図１０】
0003154280.tif 000012
【図１１】
0003154280.tif 000013
【図１２】
0003154280.tif 000014